(57)【要約】【課題】いずれかの測定結果表示用フレームのグラフにおいて他の測定結果表示用フレームのグラフの下に隠れている部位についての測定結果の概要を確実かつ容易に認識させる。【解決手段】周波数成分を矢印Ａ１の方向に対応させると共に測定レベルを矢印Ａ２の方向に対応させて測定対象に対する電気的パラメータの測定結果をグラフＧａ〜Ｇｅによって表示するスペクトル表示用フレーム２１ａ〜２１ｅを矢印Ａ３の方向にずらして測定順に重ねた測定結果表示１１を表示部５に表示させる表示制御部を備え、表示制御部は、各フレーム２１を矢印Ａ１の方向において分割した各測定周波数範囲Ｒ１〜Ｒ４内にグラフＧによって表示する測定レベルの最大値が、各フレーム２１を矢印Ａ２の方向において分割した各測定レベル範囲Ｌ１〜Ｌ４のうちのいずれに属するかを特定可能なレベル特定用表示３１を各測定周波数範囲Ｒに対応付けてそれぞれ表示させる。【選択図】図２
2013104677.tif 000002
【特許請求の範囲】
【請求項１】
第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差する第３の方向にずらして測定順およびその逆順のいずれかの順に重ねた測定結果表示を表示部に表示させる表示制御部を備えた測定結果表示装置であって、
前記表示制御部は、前記測定結果表示用フレームを前記第１の方向において分割した各グラフ表示範囲内に前記グラフ形式で表示する前記第２のパラメータの最大値、最小値および平均値のうちの予め規定された１つが、当該測定結果表示用フレームを前記第２の方向において分割した各パラメータ値範囲のうちのいずれに属するかを特定可能な該当範囲特定用表示を前記各グラフ表示範囲に対応付けてそれぞれ表示させる測定結果表示装置。
【請求項２】
前記表示制御部は、前記各測定結果表示用フレームにおける前記各グラフ表示範囲毎の前記該当範囲特定用表示を前記測定結果表示における当該各測定結果表示用フレームの重ね順および当該測定結果表示における当該各グラフ表示範囲の並び順に対応させて並べて表示させる請求項１記載の測定結果表示装置。
【請求項３】
前記表示制御部は、前記測定結果表示および前記各該当範囲特定用表示を同一画面内に並べて表示させる請求項１または２記載の測定結果表示装置。
【請求項４】
前記表示制御部は、前記測定結果表示用フレームにおける前記各グラフ表示範囲の分割位置を特定可能な表示範囲特定用表示を前記測定結果表示に対応付けて表示させる請求項１から３のいずれかに記載の測定結果表示装置。
【請求項５】
前記表示制御部は、前記測定結果表示用フレームにおける前記各パラメータ値範囲の分割位置を特定可能なパラメータ値範囲特定用表示を前記測定結果表示に対応付けて表示させる請求項１から４のいずれかに記載の測定結果表示装置。
【請求項６】
前記表示制御部は、前記周波数成分を前記第１のパラメータとし、測定レベルを前記第２のパラメータとするスペクトル表示用フレームを前記測定結果表示用フレームとして前記測定結果表示を表示させる請求項１から５のいずれかに記載の測定結果表示装置。
【請求項７】
第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差する第３の方向にずらして測定順およびその逆順のいずれかの順に重ねた測定結果表示を表示部に表示させる測定結果表示方法であって、
前記測定結果表示用フレームを前記第１の方向において分割した各グラフ表示範囲内に前記グラフ形式で表示する前記第２パラメータの最大値、最小値および平均値のうちの予め規定された１つが、当該測定結果表示用フレームを前記第２の方向において分割した各パラメータ値範囲のうちのいずれに属するかを特定可能な該当範囲特定用表示を前記各グラフ表示範囲に対応付けてそれぞれ表示させる測定結果表示方法。
【発明の詳細な説明】
【技術分野】
【０００１】
本発明は、測定結果をグラフ形式で表示する測定結果表示用フレームを所定の方向にずらして重ねた状態で表示部に表示させる測定結果表示装置および測定結果表示方法に関するものである。
【背景技術】
【０００２】
この種の測定結果表示装置および測定結果表示方法として、出願人は、複数の周波数成分（測定対象成分）についての測定レベルをグラフによって表す（グラフ形式で表示する）測定結果表示用フレームを表示部に表示させる測定結果表示装置および測定結果表示方法（以下、単に「表示装置」および「表示方法」ともいう）を特開２０１１−２７６７３号公報に開示している。この場合、出願人が開示している表示装置および表示方法では、入力信号についての周波数スペクトルを所定時間間隔で測定すると共に、その測定データに基づいて、測定した各スペクトルを表すグラフを表示画面内において所定量ずつずらして測定順に重ねて表示させる構成・方法が採用されている。
【０００３】
具体的には、出願人が開示している表示装置および表示方法では、図４に示すように、周波数成分を画面左右方向に対応させると共に、各周波数成分のレベルを画面上下方向に対応させて各周波数成分毎の測定レベルをグラフＧａｘ〜Ｇｅｘ（以下、区別しないときには、「グラフＧｘ」ともいう）によって表示するスペクトル表示用フレーム２１ａｘ〜２１ｅｘ（以下、単に「フレーム２１ａｘ〜２１ｅｘ」ともいい、これらを区別しないときには「フレーム２１ｘ」ともいう）を、左下がりの斜め方向に沿ってずらして測定順に重ねることで測定結果を三次元的に表示する測定結果表示用画面１０ｘを表示部に表示させる構成・方法が採用されている。これにより、出願人が開示している表示装置および表示方法によれば、測定結果表示用画面１０ｘ内に測定順に並んで表示された各フレーム２１ｘ内のグラフＧｘを参照することで、経過時間に応じた各周波数成分毎の測定レベルの変化を直感的に把握することが可能となっている。
【先行技術文献】
【特許文献】
【０００４】
【特許文献１】特開２０１１−２７６７３号公報（第７−１３頁、第１−６図）
【発明の概要】
【発明が解決しようとする課題】
【０００５】
しかしながら、出願人が開示している表示装置および表示方法には、以下の改善すべき課題が存在する。すなわち、出願人が開示している表示装置および表示方法では、各フレーム２１ｘを左下がりの斜め方向に沿ってずらして測定順に重ねた測定結果表示用画面１０ｘを表示部に表示させる構成・方法が採用されている。しかしながら、このような構成・方法では、図４に示すように、例えば、フレーム２１ｂｘが重ねられたフレーム２１ｃｘのグラフＧｃｘにおいては、破線Ｘａｘで囲んだ部位が、その手前側に重ねられたフレーム２１ｂｘにおけるグラフＧｂｘの下に隠れている。また、例えば、フレーム２１ｄｘが重ねられたフレーム２１ｅｘのグラフＧｅｘにおいては、二重線Ｘｂｘで囲んだ部位が、その手前側に重ねられたフレーム２１ｄｘにおけるグラフＧｄｘの下に隠れている。
【０００６】
このため、同図に示す例では、グラフＧｃｘにおける破線Ｘａｘで囲んだ部位、およびグラフＧｅｘにおける二重線Ｘｂｘで囲んだ部位についての測定レベルの識別が困難となっている。このように、出願人が開示している表示装置および表示方法では、いずれかのフレーム２１ｘが重ねられたフレーム２１ｘのグラフＧｘが、重ねられたフレーム２１ｘのグラフＧｘの下に隠れてしまい、測定レベルの識別が困難となることがあるため、この点を改善するのが好ましい。
【０００７】
本発明は、かかる改善すべき課題に鑑みてなされたものであり、いずれかの測定結果表示用フレームのグラフにおいて他の測定結果表示用フレームのグラフの下に隠れている部位についての測定結果の概要を確実かつ容易に認識させ得る測定結果表示装置および測定結果表示方法を提供することを主目的とする。
【課題を解決するための手段】
【０００８】
上記目的を達成すべく、第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差する第３の方向にずらして測定順およびその逆順のいずれかの順に重ねた測定結果表示を表示部に表示させる表示制御部を備えた測定結果表示装置であって、前記表示制御部は、前記測定結果表示用フレームを前記第１の方向において分割した各グラフ表示範囲内に前記グラフ形式で表示する前記第２のパラメータの最大値、最小値および平均値のうちの予め規定された１つが、当該測定結果表示用フレームを前記第２の方向において分割した各パラメータ値範囲のうちのいずれに属するかを特定可能な該当範囲特定用表示を前記各グラフ表示範囲に対応付けてそれぞれ表示させる。なお、「第１のパラメータ」には、一例として、「周波数成分」や「測定時間」などのパラメータが含まれ、「第２のパラメータ」には、一例として、「測定レベル」や「測定数」などのパラメータ（測定値）が含まれる。
【０００９】
また、請求項２記載の測定結果表示装置は、請求項１記載の測定結果表示装置において、前記表示制御部は、前記各測定結果表示用フレームにおける前記各グラフ表示範囲毎の前記該当範囲特定用表示を前記測定結果表示における当該各測定結果表示用フレームの重ね順および当該測定結果表示における当該各グラフ表示範囲の並び順に対応させて並べて表示させる。
【００１０】
さらに、請求項３記載の測定結果表示装置は、請求項１または２記載の測定結果表示装置において、前記表示制御部は、前記測定結果表示および前記各該当範囲特定用表示を同一画面内に並べて表示させる。
【００１１】
また、請求項４記載の測定結果表示装置は、請求項１から３のいずれかに記載の測定結果表示装置において、前記表示制御部は、前記測定結果表示用フレームにおける前記各グラフ表示範囲の分割位置を特定可能な表示範囲特定用表示を前記測定結果表示に対応付けて表示させる。
【００１２】
さらに、請求項５記載の測定結果表示装置は、請求項１から４のいずれかに記載の測定結果表示装置において、前記表示制御部は、前記測定結果表示用フレームにおける前記各パラメータ値範囲の分割位置を特定可能なパラメータ値範囲特定用表示を前記測定結果表示に対応付けて表示させる。
【００１３】
また、請求項６記載の測定結果表示装置は、請求項１から５のいずれかに記載の測定結果表示装置において、前記表示制御部は、前記周波数成分を前記第１のパラメータとし、測定レベルを前記第２のパラメータとするスペクトル表示用フレームを前記測定結果表示用フレームとして前記測定結果表示を表示させる。
【００１４】
また、請求項７記載の測定結果表示方法は、第１のパラメータを第１の方向に対応させると共に第２のパラメータを当該第１の方向と交差する第２の方向に対応させて測定対象に対する測定結果をグラフ形式で表示する測定結果表示用フレームを、少なくとも前記第１の方向と交差する第３の方向にずらして測定順およびその逆順のいずれかの順に重ねた測定結果表示を表示部に表示させる測定結果表示方法であって、前記測定結果表示用フレームを前記第１の方向において分割した各グラフ表示範囲内に前記グラフ形式で表示する前記第２パラメータの最大値、最小値および平均値のうちの予め規定された１つが、当該測定結果表示用フレームを前記第２の方向において分割した各パラメータ値範囲のうちのいずれに属するかを特定可能な該当範囲特定用表示を前記各グラフ表示範囲に対応付けてそれぞれ表示させる。
【発明の効果】
【００１５】
請求項１記載の測定結果表示装置、および請求項７記載の測定結果表示方法によれば、各グラフ表示範囲内にグラフ形式で表示する第２のパラメータの最大値、最小値および平均値のうちの予め規定された１つが、各パラメータ値範囲のうちのいずれに属するかを特定可能な該当範囲特定用表示を各グラフ表示範囲に対応付けてそれぞれ表示させることにより、いずれかの測定結果表示用フレームのグラフのいずれかの部位が、他の測定結果表示用フレームのグラフの下に隠れていたとしても、隠れている部位に対応する該当範囲特定用表示を参照させることで、その隠れている部位の第２のパラメータの概要を確実かつ容易に認識させることができる。
【００１６】
また、請求項２記載の測定結果表示装置によれば、各測定結果表示用フレームにおける各グラフ表示範囲毎の該当範囲特定用表示を各測定結果表示用フレームの重ね順および各グラフ表示範囲の並び順に対応させて並べて表示させることにより、各測定結果表示用フレームの重ね順や、各グラフ表示範囲の並び順とは無関係に各測定結果表示用フレームにおける各グラフ表示範囲毎の該当範囲特定用表示を表示させる構成・方法と比較して、いずれかのグラフにおいて他の測定結果表示用フレームのグラフの下に隠れている部位の第２のパラメータの概要を示す該当範囲特定用表示が各該当範囲特定用表示のうちのいずれであるかを確実かつ容易に特定することができる。
【００１７】
さらに、請求項３記載の測定結果表示装置によれば、測定結果表示および各該当範囲特定用表示を同一画面内に並べて表示させることにより、例えば、測定結果表示を表示させる表示画面、および各該当範囲特定用表示を表示させる表示画面を切替え表示させる構成・方法とは異なり、表示画面の切替え操作を実行することなく、対応する該当範囲特定用表示を参照しながら測定結果表示の各測定結果表示用フレーム内にグラフ形式で表示されている測定結果を見ることができるため、いずれかのグラフにおいて他の測定結果表示用フレームのグラフの下に隠れている部位の第２のパラメータの概要を示す該当範囲特定用表示が各該当範囲特定用表示のうちのいずれであるかを一層確実かつ容易に特定することができる。
【００１８】
また、請求項４記載の測定結果表示装置によれば、各グラフ表示範囲の分割位置を特定可能な表示範囲特定用表示を測定結果表示に対応付けて表示させることにより、例えば、各グラフ表示範囲の分割位置を数値で表示する構成・方法と比較して、各測定結果表示用フレーム内の各グラフによって表されている第２のパラメータがいずれのグラフ表示範囲に属するのかを直感的に把握させることができる。
【００１９】
さらに、請求項５記載の測定結果表示装置によれば、各パラメータ値範囲の分割位置を特定可能なパラメータ値範囲特定用表示を測定結果表示に対応付けて表示させることにより、例えば、各パラメータ値範囲の分割位置を数値で表示する構成・方法と比較して、各測定結果表示用フレーム内の各グラフによって表されている第２のパラメータがいずれのパラメータ値範囲に属するのかを直感的に把握させることができる。
【００２０】
また、請求項６記載の測定結果表示装置によれば、第１のパラメータとしての周波数成分を第１の方向に対応させ、かつ第２のパラメータとしての測定レベルを第２の方向に対応させたスペクトル表示用フレームを測定結果表示用フレームとして測定結果表示を表示させることにより、各スペクトル表示用フレーム毎のグラフにおける各周波数成分毎の測定レベルが同様の値となることが多いことに起因して、手前側のスペクトル表示用フレームのグラフによって、そのスペクトル表示用フレームが重ねられた他のスペクトル表示用フレームのグラフにおけるいずれかの部位が隠された状態となり易い周波数スペクトルの表示に際して、他のグラフの下に隠れている部位の測定レベルの概要を該当範囲特定用表示によって確実かつ容易に認識させることができる。
【図面の簡単な説明】
【００２１】
【図１】測定結果表示装置１のブロック図である。
【図２】測定結果表示装置１によって表示される測定結果表示用画面１０の表示画面図である。
【図３】各スペクトル表示用フレーム２１ａ〜２１ｅ内のグラフＧａ〜Ｇｅによって表される測定周波数範囲Ｒ１〜Ｒ４毎の測定レベルと、測定レベル範囲Ｌ１〜Ｌ４との関係について説明するための説明図である。
【図４】出願人が開示している測定結果表示装置によって表示される測定結果表示用画面１０ｘの表示画面図である。
【発明を実施するための形態】
【００２２】
以下、添付図面を参照して、測定結果表示装置および測定結果表示方法の実施の形態について説明する。
【００２３】
図１に示す測定結果表示装置１は、入力信号Ｓｉについての周波数スペクトルを測定して、その測定結果（「測定対象に対する測定結果」の一例）を表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングする（入力信号Ｓｉについての電気的パラメータを所定時間間隔で測定する）ことによって測定データＤ１を生成し、生成した測定データＤ１を制御部６に出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。
【００２４】
操作部４は、測定結果表示装置１の動作条件を設定するための各種の操作スイッチを備え、スイッチ操作に応じた操作信号Ｓ１を制御部６に出力する。表示部５は、一例として、カラー液晶表示パネルを備えて構成され、制御部６の制御に従って、図２に示す測定結果表示用画面１０などを表示する。制御部６は、一例として、ＦＰＧＡ（Field Programmable Gate Array ）およびＣＰＵを備え、測定部２と相俟って「測定データ生成部」を構成する。具体的には、制御部６は、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を所定時間間隔で生成する。
【００２５】
また、制御部６は、「表示制御部」に相当し、生成した測定データＤ２に基づいて測定結果表示用画面１０を表示部５に表示させる。この場合、測定結果表示用画面１０は、制御部６によって演算された周波数スペクトルを測定順およびその逆順で三次元的に表示するための表示画面であって、図２に示すように、測定結果表示１１、測定結果概要表示１２、周波数範囲特定用表示１３および測定レベル範囲特定用表示１４の４つの表示で構成されている。
【００２６】
測定結果表示１１は、周波数スペクトルを測定順に表示するための表示であって、出願人が開示している表示装置および表示方法における測定結果表示用画面の表示と同様にして、複数のスペクトル表示用フレーム２１ａ〜２１ｅ（「測定結果表示用フレーム」の一例：以下、単に「フレーム２１ａ〜２１ｅ」ともいい、これらを区別しないときには「フレーム２１」ともいう）が左下がりの斜め方向（矢印Ａ３の方向：三次元的表示における第３次元：「第３の方向」の一例）に沿って所定量ずつずれながら重なって表示されている。なお、同図では、測定結果表示用画面１０の画面構成についての理解を容易とするために、各測定結果表示１１内にフレーム２１ａ〜２１ｅの５フレームだけ表示している例を図示しているが、この測定結果表示装置１では、利用者の目的に応じて、１つの測定結果表示１１内にさらに多数のフレーム２１（一例として、１０〜２００フレーム）を表示させることが可能となっている。
【００２７】
この場合、この測定結果表示装置１では、各フレーム２１毎に、周波数成分（測定対象成分：「第１のパラメータ」の一例）を画面左右方向（矢印Ａ１の方向：三次元的表示における第１次元：「第１の方向」の一例）に対応させると共に、測定レベル（「ｄＢ」：「第２のパラメータ」の一例）を画面上下方向（矢印Ａ２の方向：三次元的表示における第２次元：「第１の方向と交差する第２の方向」の一例）に対応させて、各周波数成分についての測定レベル（周波数スペクトル）をグラフＧａ〜Ｇｅ（以下、区別しないときには「グラフＧ」ともいう）によって各測定結果表示１１内に表示させる構成（周波数スペクトルをグラフ形式で測定結果表示１１内に表示させる構成）が採用されている。また、この測定結果表示装置１では、後述するように、制御部６が、測定部２から出力される測定データＤ１に基づいて新たな測定データＤ２を生成する度に、各測定結果表示１１や測定結果概要表示１２の表示内容を更新する構成が採用されている。
【００２８】
測定結果概要表示１２は、利用者に対して、測定結果表示１１内の各フレーム２１にグラフＧによって表されている測定結果の概要（大まかな測定レベル）を認識させるための表示であって、フレーム２１ａ内のグラフＧａによって表されている測定結果の概要を表示するための領域１２ａから、フレーム２１ｅ内のグラフＧｅによって表されている測定結果の概要を表示するための領域１２ｅまでの５つの領域で構成されている。
【００２９】
この場合、この測定結果表示装置１では、測定結果表示１１内の各フレーム２１を画面左右方向（矢印Ａ１の方向）において分割した各測定周波数範囲Ｒ１〜Ｒ４（「グラフ表示範囲」の一例）内にグラフＧによって表される測定レベルの最大値、最小値および平均値のうちの予め規定された１つ（一例として、最大値）が、各フレーム２１を画面上下方向（矢印Ａ２の方向）において分割した各測定レベル範囲Ｌ１〜Ｌ４（「パラメータ値範囲」の一例：以下、区別しないときには「測定レベル範囲Ｌ」ともいう）のうちのいずれに属するかを特定可能なレベル特定用表示３１（「該当範囲特定用表示」の一例）を各測定周波数範囲Ｒ１〜Ｒ４（以下、区別しないときには「測定周波数範囲Ｒ」ともいう）に対応付けて上記の領域１２ａ〜１２ｅ内にそれぞれ表示させる構成・方法が採用されている。
【００３０】
また、本例の測定結果表示装置１では、一例として、最大値が測定レベル範囲Ｌ１に属する測定周波数範囲Ｒについてのレベル特定用表示３１を青色で塗り潰すと共にその中央部に「Ｌ１」との文字列を付し、最大値が測定レベル範囲Ｌ２に属する測定周波数範囲Ｒについてのレベル特定用表示３１を緑色で塗り潰すと共にその中央部に「Ｌ２」との文字列を付し、最大値が測定レベル範囲Ｌ３に属する測定周波数範囲Ｒについてのレベル特定用表示３１を黄色で塗り潰すと共にその中央部に「Ｌ３」との文字列を付し、最大値が測定レベル範囲Ｌ４に属する測定周波数範囲Ｒについてのレベル特定用表示３１を赤色で塗り潰すと共にその中央部に「Ｌ４」との文字列を付して表示させる構成・方法が採用されている。
【００３１】
すなわち、この測定結果表示装置１では、「予め規定された１つ（本例では、最大値）」が、いずれの測定レベル範囲Ｌに属するかを、「色」および「文字列」によって特定させるレベル特定用表示３１を「該当範囲特定用表示」として表示させる構成・方法が採用されている。なお、図２では、「青色」で塗り潰されたレベル特定用表示３１を「白色」で示し、「緑色」で塗り潰されたレベル特定用表示３１を「右下がりの破線」で塗り潰し、「黄色」で塗り潰されたレベル特定用表示３１を「左下がりの実線」で塗り潰し、「赤色」で塗り潰されたレベル特定用表示３１を「網線」で塗り潰して図示している。
【００３２】
なお、上記の各レベル特定用表示３１に代えて、各測定周波数範囲Ｒ内にグラフＧによって表される測定レベルの最小値が各測定レベル範囲Ｌのうちのいずれに属するかを特定可能な「該当範囲特定用表示」や、各測定周波数範囲Ｒ内にグラフＧによって表される測定レベルの平均値が各測定レベル範囲Ｌのうちのいずれに属するかを特定可能な「該当範囲特定用表示」を各測定周波数範囲Ｒに対応付けて上記の領域１２ａ〜１２ｅ内にそれぞれ表示させる構成・方法を採用することもできる。
【００３３】
さらに、この測定結果表示装置１では、各フレーム２１ａ〜２１ｅにおける各測定周波数範囲Ｒ１〜Ｒ４毎のレベル特定用表示３１を各フレーム２１ａ〜２１ｅの重ね順および各測定周波数範囲Ｒ１〜Ｒ４の並び順に対応させてマトリクス状に並べて表示させると共に、各レベル特定用表示３１（測定結果概要表示１２）、および測定結果表示１１を測定結果表示用画面１０内に並べて表示させる（「同一画面内に並べて表示させる」）構成・方法が採用されている。また、周波数範囲特定用表示１３は、「表示範囲特定用表示」の一例であって、各フレーム２１における各測定周波数範囲Ｒ１〜Ｒ４の分割位置を特定可能に測定結果表示１１の下方に測定結果表示１１と並んで表示されている。さらに、測定レベル範囲特定用表示１４は、「パラメータ値範囲特定用表示」の一例であって、各フレーム２１における各測定レベル範囲Ｌ１〜Ｌ４の分割位置を特定可能に測定結果表示１１の左方に測定結果表示１１と並んで表示されている。
【００３４】
この測定結果表示装置１の使用に際しては、まず、操作部４を操作して測定結果表示装置１の動作条件（測定条件）を設定する。この際には、一例として、各測定結果表示１１内における各フレーム２１の描画間隔（「第３の方向」に対応する各フレーム２１の測定時間間隔）を１秒に設定する。次いで、操作部４の開始スイッチを操作することにより、制御部６による測定データＤ２の記憶処理、および測定データＤ２に基づく周波数スペクトルの表示処理（測定結果表示用画面１０の表示処理）を開始させる。
【００３５】
この際に、制御部６は、操作部４から処理開始を指示する操作信号Ｓ１が出力されたときに、まず、測定部２を制御して測定処理を開始させる。これに応じて、測定部２は、入力信号Ｓｉをデジタル変換すると共に、変換したデジタル信号について１秒間隔でサンプリングして測定データＤ１を生成し、生成した測定データＤ１を制御部６に出力する。また、制御部６は、測定部２から出力された測定データＤ１をメモリ３に順次記憶させる。さらに、制御部６は、上記の測定データＤ１のメモリ３への記憶処理と並行して、測定部２から測定データＤ１が出力される度に、その測定データＤ１（メモリ３に記憶させた測定データＤ１）に基づく周波数スペクトルの演算処理を実行する。
【００３６】
具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。また、制御部６は、生成した測定データＤ２に基づき、測定結果（測定対象の入力信号Ｓｉについての周波数スペクトル）を表示させるための表示用データを生成して出力することにより、図２に示すように、測定結果表示用画面１０を表示部５に表示させる。
【００３７】
この際に、制御部６は、各測定データＤ２に基づく各フレーム２１（グラフＧ）を左下がり方向（矢印Ａ３の方向）に沿ってずらして測定順に重ねて（一例として、最新の測定結果に近い測定結果のフレーム２１ほど左下に位置するように、右上から左下に向かう向きで重ねて）測定結果表示１１を表示させる。なお、図２に示す測定結果表示用画面１０の測定結果表示１１は、測定開始から５秒が経過した時点の状態を示している。
【００３８】
また、制御部６は、フレーム２１ｅ内にグラフＧｅによって表した測定レベルの最大値を各測定周波数範囲Ｒ１〜Ｒ４毎にそれぞれ特定すると共に、特定した値が測定レベル範囲Ｌ１〜Ｌ４のいずれに属するかをそれぞれ特定する。さらに、制御部６は、測定結果概要表示１２の領域１２ｅにおける測定周波数範囲Ｒ１〜Ｒ４の部位に、特定した結果に対応する色で、かつ特定した結果に対応する文字列を付してレベル特定用表示３１をそれぞれ表示させる。また、制御部６は、フレーム２１ｄ〜２１ａについても、上記のフレーム２１ｅについての処理と同様にして対応するレベル特定用表示３１を測定結果概要表示１２の領域１２ｄ〜１２ａ内にそれぞれ表示させる。
【００３９】
この後、制御部６は、測定部２から出力された測定データＤ１に基づいて生成した測定データＤ２の記憶処理、およびその測定データＤ２に基づく測定結果表示１１や測定結果概要表示１２の表示処理を１秒間隔で繰り返して実行する。これにより、利用者に対して、各測定結果表示１１内の各グラフＧ、および測定結果概要表示１２内の各レベル特定用表示３１を参照させて入力信号Ｓｉを分析させることができる。
【００４０】
この場合、図２に示す測定結果表示用画面１０の測定結果表示１１では、フレーム２１ｂが重ねられたフレーム２１ｃのグラフＧｃにおける破線Ｘａで囲んだ部位が、その手前側に重ねられたフレーム２１ｂのグラフＧｂの下に隠れている。また、同図に示す測定結果表示１１では、フレーム２１ｄが重ねられたフレーム２１ｅのグラフＧｅにおける二重線Ｘｂで囲んだ部位が、その手前側に重ねられたフレーム２１ｄのグラフＧｄの下に隠れている。このため、測定結果表示１１を参照しただけでは、グラフＧｃにおける破線Ｘａで囲んだ部位、およびグラフＧｅにおける二重線Ｘｂで囲んだ部位についての測定レベルの識別が困難となっている。
【００４１】
一方、この測定結果表示装置１では、上記したように、測定結果表示１１内の各フレーム２１にグラフＧによって表されている測定結果の概要（大まかな測定レベル）を認識させるための測定結果概要表示１２を測定結果表示用画面１０内に表示させる構成・方法が採用されている。
【００４２】
この場合、図３に示すように、フレーム２１ｃのグラフＧｃにおける破線Ｘａで囲んだ部位は、測定周波数範囲Ｒ３，Ｒ４の２つの範囲に跨がっており、測定周波数範囲Ｒ３内の測定レベルの最大値が測定レベル範囲Ｌ２に属し、測定周波数範囲Ｒ４内の測定レベルの最大値が測定レベル範囲Ｌ１に属している。したがって、図２に示すように、測定結果表示１１と共に測定結果表示用画面１０内に表示されている測定結果概要表示１２では、領域１２ｃにおける測定周波数範囲Ｒ３についてのレベル特定用表示３１が緑色で塗り潰されると共に「Ｌ２」との文字列が付され、領域１２ｃにおける測定周波数範囲Ｒ４についてのレベル特定用表示３１が青色で塗り潰されると共に「Ｌ１」との文字列が付されている。これにより、測定結果概要表示１２を見た利用者は、グラフＧｃにおけるグラフＧｂの下に隠れている部位（破線Ｘａで囲んだ部位）の測定レベルが、測定レベル範囲Ｌ２または、測定レベル範囲Ｌ１に属する測定レベルであることを認識する。
【００４３】
また、図３に示すように、フレーム２１ｅのグラフＧｅにおける二重線Ｘｂで囲んだ部位は、測定周波数範囲Ｒ３，Ｒ４の２つの範囲に跨がっており、測定周波数範囲Ｒ３内の測定レベルの最大値が測定レベル範囲Ｌ２に属し、測定周波数範囲Ｒ４内の測定レベルの最大値が測定レベル範囲Ｌ１に属している。したがって、図２に示すように、測定結果表示１１と共に測定結果表示用画面１０内に表示されている測定結果概要表示１２では、領域１２ｅにおける測定周波数範囲Ｒ３についてのレベル特定用表示３１が緑色で塗り潰されると共に「Ｌ２」との文字列が付され、領域１２ｃにおける測定周波数範囲Ｒ４についてのレベル特定用表示３１が青色で塗り潰されると共に「Ｌ１」との文字列が付されている。これにより、測定結果概要表示１２を見た利用者は、グラフＧｅにおけるグラフＧｄの下に隠れている部位（二重線Ｘｂで囲んだ部位）の測定レベルが、測定レベル範囲Ｌ２または、測定レベル範囲Ｌ１に属する測定レベルであることを認識する。
【００４４】
このように、この測定結果表示装置１、および測定結果表示装置１による測定結果表示方法によれば、各測定周波数範囲Ｒ内にグラフＧによって表す測定レベルの最大値、最小値および平均値のうちの予め規定された１つ（本例では、最大値）が、各測定レベル範囲Ｌのうちのいずれに属するかを特定可能なレベル特定用表示３１を各測定周波数範囲Ｒに対応付けてそれぞれ表示させることにより、いずれかのフレーム２１のグラフＧのいずれかの部位が、他のフレーム２１のグラフＧの下に隠れていたとしても、隠れている部位に対応するレベル特定用表示３１を参照させることで、その隠れている部位の測定レベルの概要を確実かつ容易に認識させることができる。
【００４５】
また、この測定結果表示装置１、および測定結果表示装置１による測定結果表示方法によれば、各フレーム２１における各測定周波数範囲Ｒ毎のレベル特定用表示３１を各スペクトル表示用フレーム２１ａ〜２１ｅの重ね順および各測定周波数範囲Ｒ１〜Ｒ４の並び順に対応させて並べて表示させることにより、各スペクトル表示用フレーム２１ａ〜２１ｅの重ね順や、各測定周波数範囲Ｒ１〜Ｒ４の並び順とは無関係に各フレーム２１における各測定周波数範囲Ｒ毎のレベル特定用表示３１を表示させる構成・方法と比較して、いずれかのグラフＧにおいて他のフレームのグラフＧの下に隠れている部位の測定レベルの概要を示すレベル特定用表示３１が各レベル特定用表示３１のうちのいずれであるかを確実かつ容易に特定することができる。
【００４６】
さらに、この測定結果表示装置１、および測定結果表示装置１による測定結果表示方法によれば、測定結果表示１１および各レベル特定用表示３１（測定結果概要表示１２）を同一画面内（測定結果表示用画面１０内）に並べて表示させることにより、例えば、測定結果表示１１を表示させる表示画面、および各レベル特定用表示３１（測定結果概要表示１２）を表示させる表示画面を切替え表示させる構成・方法とは異なり、表示画面の切替え操作を実行することなく、対応するレベル特定用表示３１を参照しながら測定結果表示１１の各フレーム２１内に表示されているグラフＧを見ることができるため、いずれかのグラフＧにおいて他のフレームのグラフＧの下に隠れている部位の測定レベルの概要を示すレベル特定用表示３１が各レベル特定用表示３１のうちのいずれであるかを一層確実かつ容易に特定することができる。
【００４７】
また、この測定結果表示装置１、および測定結果表示装置１による測定結果表示方法によれば、各測定周波数範囲Ｒ１〜Ｒ４の分割位置を特定可能な周波数範囲特定用表示１３を測定結果表示１１に対応付けて表示させることにより、例えば、各測定周波数範囲Ｒ１〜Ｒ４の分割位置を数値で表示する構成・方法と比較して、各フレーム２１内の各グラフＧによって表されている測定レベルがいずれの測定周波数範囲Ｒに属するのかを直感的に把握させることができる。
【００４８】
さらに、この測定結果表示装置１、および測定結果表示装置１による測定結果表示方法によれば、各測定レベル範囲Ｌ１〜Ｌ４の分割位置を特定可能な測定レベル範囲特定用表示１４を測定結果表示１１に対応付けて表示させることにより、例えば、各測定レベル範囲Ｌ１〜Ｌ４の分割位置を数値で表示する構成・方法と比較して、各フレーム２１内の各グラフＧによって表されている測定レベルがいずれの測定レベル範囲Ｌに属するのかを直感的に把握させることができる。
【００４９】
また、この測定結果表示装置１、および測定結果表示装置１による測定結果表示方法によれば、「第１のパラメータ」としての周波数成分を「第１の方向」としての矢印Ａ１の方向に対応させ、かつ「第２のパラメータ」としての測定レベルを「第２の方向」としての矢印Ａ２の方向に対応させたスペクトル表示用フレーム２１ａ〜２１ｄを「測定結果表示用フレーム」として測定結果表示１１ａ〜１１ｄを表示させることにより、各フレーム２１毎のグラフＧにおける各周波数成分毎の測定レベルが同様の値となることが多いことに起因して、手前側のフレーム２１のグラフＧによって、そのフレーム２１が重ねられた他のフレーム２１のグラフＧにおけるいずれかの部位が隠された状態となり易い周波数スペクトルの表示に際して、他のグラフＧの下に隠れている部位の測定レベルの概要をレベル特定用表示３１（測定結果概要表示１２）によって確実かつ容易に認識させることができる。
【００５０】
さらに、この測定結果表示装置１、および測定結果表示装置１による測定結果表示方法によれば、「予め規定された１つ（本例では、「最大値」）」が、いずれの測定レベル範囲Ｌに属するかを、「色」および「文字列」によって特定させるようにレベル特定用表示３１を表示させることにより、例えば、「予め規定された１つ」の値そのものを数値で表示する「該当範囲特定用表示」と比較して、各測定周波数範囲Ｒ内の「予め規定された１つ」がいずれの測定レベル範囲Ｌに属するかを直感的に把握させることができる。
【００５１】
なお、「測定結果表示装置」および「測定結果表示方法」は、上記の測定結果表示装置１の構成およびその表示方法に限定されない。例えば、入力信号Ｓｉについての測定処理（測定データＤ２の生成処理）と並行して測定結果表示用画面１０内の測定結果表示１１にフレーム２１を表示させ、かつ測定結果概要表示１２にレベル特定用表示３１を表示させる例について説明したが、上記の測定結果表示装置１では、入力信号Ｓｉについての一連の測定処理が完了した時点（複数の測定データＤ２がメモリ３に記憶された時点）において、測定データＤ２に基づくフレーム２１を測定結果表示１１内に表示させ、かつ対応するレベル特定用表示３１を測定結果概要表示１２内に表示させることもできる。このような使用形態においても、測定処理と並行して測定結果表示用画面１０内の各測定結果表示１１にフレーム２１を表示させ、かつ測定結果概要表示１２内にレベル特定用表示３１を表示させたときと同様の効果を奏することができる。
【００５２】
また、上記の測定結果表示装置１では、各フレーム２１内に折れ線グラフ形式のグラフＧを表示する構成・方法が採用されているが、グラフＧに代えて、各周波数成分毎のレベルを示す棒グラフ形式のグラフ等を表示させる構成・方法を採用することもできる（図示せず）。さらに、「予め規定された１つ（本例では、「最大値」）」が、いずれの測定レベル範囲Ｌに属するかを、「色」および「文字列」によって特定させるようにレベル特定用表示３１を表示させる例について説明したが、これに代えて（または、これに加えて）、「予め規定された１つ」が、いずれの「パラメータ値範囲」に属するかを、「模様」、「記号」および「図形」等によって特定させるように「該当範囲特定用表示」を表示させる構成・方法を採用することができる。このような構成・方法を採用した場合においても、前述した測定結果表示装置１による効果と同様の効果を奏することができる。
【００５３】
さらに、測定結果表示１１および各レベル特定用表示３１（測定結果概要表示１２）を測定結果表示用画面１０内に並べて表示させる構成・方法を例に挙げて説明したが、各レベル特定用表示３１（測定結果概要表示１２）を測定結果表示１１とは別個の表示画面に表示させて、両表示画面を切替え表示させる構成・方法を採用することもできる。また、各フレーム２１の重ね順および各測定周波数範囲Ｒの並び順に対応させて、各フレーム２１における各測定周波数範囲Ｒ毎のレベル特定用表示３１をマトリクス状に並べて表示させる構成・方法を例に挙げて説明したが、各フレーム２１の重ね順や各測定周波数範囲Ｒの並び順とは無関係に各レベル特定用表示３１を表示させる構成・方法を採用することもできる。さらに、上記の例における測定レベル範囲特定用表示１４に代えて、各測定周波数範囲Ｒの分割位置を特定可能に各範囲の境界を数値で表示したり、周波数範囲特定用表示１３に代えて、各測定レベル範囲Ｌの分割位置を特定可能に各範囲の境界を数値で表示したりすることもできる。
【００５４】
さらに、「第１のパラメータ」および「第２のパラメータ」については、「周波数成分」や「測定レベル」に限定されず、「温度」、「湿度」、「力」、「音」、「波長」、「周波数」、「個数」、「位置（距離）」、「測定時間」および「測定回数」等の各種パラメータのなかから、「第１のパラメータ」および「第２のパラメータ」として任意のパラメータを選択してグラフ形式で表示させることができる。
【００５５】
具体的には、一例として、入力信号（測定対象）の信号波形を測定結果として表示する構成・方法においては、「第１のパラメータ」としての「測定時間（測定開始からの経過時間）」を「第１の方向」に対応させると共に、「第２のパラメータ」としての「各測定時間毎の測定レベル（電圧値等）」を「第２の方向」に対応させてグラフ形式によって表す「測定結果表示用フレーム（図示せず）」を「測定結果表示」内に表示させる構成・方法を採用することができる。このような構成・方法を採用した場合においても、上記の測定結果表示装置１と同様にして、他のグラフＧ（波形）の下に隠れている部位の測定レベルを確実かつ容易に認識させることができる。
【００５６】
また、「第１のパラメータ」としての「測定時間」を「第１の方向」に対応させると共に、「第２のパラメータ」としての「各測定時間毎の温度や湿度等」を「第２の方向」に対応させてグラフ形式によって表す「測定結果表示用フレーム（図示せず）」を「測定結果表示」内に表示させる構成・方法を採用することもできる。
【００５７】
さらに、画面左右方向（矢印Ａ１の方向）を「第１の方向」とし、かつ画面上下方向（矢印Ａ２の方向）を「第２の方向」とした例について説明したが、画面上下方向を「第１の方向」とし、かつ画面左右方向を「第２の方向」として「測定結果表示用フレーム」を表示させる構成・方法を採用することもできる。さらに、「第３の方向」については「第２の方向」と同一方向とすることもできる。
【符号の説明】
【００５８】
１  測定結果表示装置
２  測定部
３  メモリ
４  操作部
５  表示部
６  制御部
１０  測定結果表示用画面
１１  測定結果表示
１２  測定結果概要表示
１３  周波数範囲特定用表示
１４  測定レベル範囲特定用表示
２１ａ〜２１ｅ  スペクトル表示用フレーム
３１  レベル特定用表示
Ａ２〜Ａ３  矢印
Ｄ１，Ｄ２  測定データ
Ｇａ〜Ｇｅ  グラフ
Ｌ１〜Ｌ４  測定レベル範囲
Ｒ１〜Ｒ４  測定周波数範囲
Ｓ１  操作信号
Ｓｉ  入力信号
【図１】
2013104677.tif 000003
【図２】
2013104677.tif 000004
【図３】
2013104677.tif 000005
【図４】
2013104677.tif 000006